【手続補正書】
【提出日】平成16年6月25日(2004.6.25)
【手続補正１】
【補正対象書類名】明細書
【補正対象項目名】全文
【補正方法】変更
【補正の内容】
【書類名】        明細書
【発明の名称】    遊技機
【特許請求の範囲】
【請求項１】  遊技盤の表面に略円形状の遊技領域を形成するとともに、該遊技領域上部に配設され、前記遊技領域側に円弧状のガイド面を形成した観賞部材と、前記遊技領域の下辺左寄りから上方にかけて円弧状に止着される外レールと、該外レールの内側に止着される内レールと、を備え、
前記外レールと前記内レールとの間に、弾発された発射球を前記遊技領域内に案内する発射流路を形成し、
前記内レールの上端部分に、可動片を備えた戻り球防止部材を設け、該戻り球防止部材の可動片が、前記遊技領域内からの遊技球が発射流路内に戻ることを阻止し、前記発射流路からの発射球の通過を許容する遊技機において、
前記発射球が前記遊技領域内に設けられた釘等の流下規制部材で跳ね返り、この反射球が前記可動片の可動範囲に到達する前で流下方向を規制する反射球流下方向規制部材を備え、
前記反射球流下方向規制部材は、
前記観賞部材のガイド面に形成した段差部により構成され、
前記段差部は、
前記発射流路の先端出口よりも上方であって、遊技領域の頂部と発射流路の先端出口との間に配置され、発射流路側のガイド面から遊技領域の外側に屈曲した段差接続面を有し、遊技領域の頂部側からガイド面に沿って移動する反射球を前記段差接続面に当接して流下方向を規制するようにしたことを特徴とする遊技機。
【請求項２】  遊技領域の上部の発射流路側に、複数本の釘を逆ハ字状に並べて植設して谷釘群を形成し、該谷釘群の発射流路側の上端近傍と遊技領域外縁との間を中距離球通過出口とし、該中距離球通過出口よりも遊技領域頂部側に前記段差部を配置したことを特徴とする請求項１に記載の遊技機。
【請求項３】  遊技盤の表面に略円形状の遊技領域を形成するとともに、該遊技領域上部に配設され、前記遊技領域側に円弧状のガイド面を形成した観賞部材と、前記遊技領域の下辺左寄りから上方にかけて円弧状に止着される外レールと、該外レールの内側に止着される内レールと、を備え、
前記外レールと前記内レールとの間に、弾発された発射球を前記遊技領域内に案内する発射流路を形成し、
前記内レールの上端部分に、可動片を備えた戻り球防止部材を設け、該戻り球防止部材の可動片が、前記遊技領域内からの遊技球が発射流路内に戻ることを阻止し、前記発射流路からの発射球の通過を許容する遊技機において、
前記発射球が前記遊技領域内に設けられた釘等の流下規制部材で跳ね返り、この反射球が前記可動片の可動範囲に到達する前で流下方向を規制する反射球流下方向規制部材を備え、
前記反射球流下方向規制部材は、
前記観賞部材の内部に取付けられる取付基部と、
前記取付基部から前記遊技領域内に突出する規制部材用可動片と、を備え、
前記遊技領域上部の発射流路側に複数本の釘を逆ハ字状に並べて植設した谷釘群を形成し、該谷釘群の発射流路側の上端近傍と遊技領域外縁との間を中距離球通過出口とし、
前記規制部材用可動片を中距離球通過出口から遊技領域の内側へ向けて斜めに突出させて、遊技領域の頂部側からガイド面に沿って発射流路の出口に向かって移動する反射球を遮り、該反射球の流下方向を規制するようにしたことを特徴とする遊技機。
【発明の詳細な説明】
【０００１】
【発明の属する技術分野】
本発明は、パチンコ機等の遊技機、特に遊技球を遊技領域内に発射して遊技を行なう弾球遊技機に関するものである。
【０００２】
【従来の技術】
従来の遊技機、例えばパチンコ機においては、球発射装置により弾発された発射球が所謂外レールと内レールとの間の発射流路を通って、遊技盤表面の遊技領域内に飛入し、通常は、遊技領域内の釘や役物等に当たって流下方向を変換しながら流下する。しかしながら、釘等に当たって跳ね返った遊技球（以下、反射球という。）が再び発射流路内に飛び込んで逆流することもある。この様に、一旦遊技領域内に入った遊技球が再び発射流路内を逆行すると、次に発射された打球と衝突してしまうので正常な遊技を行なうことができない。そこで、従来のパチンコ機では、発射流路の出口に戻り球防止部材を設けている。
【０００３】
この戻り球防止部材は一方向弁として機能するもので、内レールの上端に、取付基部を設け、この取付基部から金属片（可動片）を発射流路の出口を斜めに塞ぐ状態で突出させた構成である。そして、球発射装置から発射された球が可動片に当たると可動片が回動あるいは彎曲して当該打球が遊技領域内に飛入することを許容する。一方、一旦遊技領域内に入った球が跳ね返されて発射流路側に戻ろうとすると、可動片が邪魔して発射流路内に球が戻ることを阻止し、これにより発射した球がファール球とならないようにしている。
【０００４】
【発明が解決しようとする課題】
しかしながら、戻り球防止部材を設けても、遊技領域内で跳ね返った反射球に起因して、発射球がファール球となる場合がある。即ち、発射球が前記可動片を押し開こうとするタイミングと、反射球が可動片に当たるタイミングとが一致することがあり、この場合、反射球が可動片を閉じる方向に押えつけてしまうので発射球は可動片を押し開くことができず、その結果、発射球がそのままファール球となってしまう。
【０００５】
本発明は上記した事情に鑑みなされたもので、その目的は、遊技領域内で跳ね返った反射球が戻り球防止部材側に到達することをできる限り抑制して発射球がファール球となる事態を防止できる遊技機を提供しようとするものである。
【０００６】
【課題を解決するための手段】
本発明は上記目的を達成するために提案されたもので、請求項１に記載のものは、遊技盤の表面に略円形状の遊技領域を形成するとともに、該遊技領域上部に配設され、前記遊技領域側に円弧状のガイド面を形成した観賞部材と、前記遊技領域の下辺左寄りから上方にかけて円弧状に止着される外レールと、該外レールの内側に止着される内レールと、を備え、
前記外レールと前記内レールとの間に、弾発された発射球を前記遊技領域内に案内する発射流路を形成し、
前記内レールの上端部分に、可動片を備えた戻り球防止部材を設け、該戻り球防止部材の可動片が、前記遊技領域内からの遊技球が発射流路内に戻ることを阻止し、前記発射流路からの発射球の通過を許容する遊技機において、
前記発射球が前記遊技領域内に設けられた釘等の流下規制部材で跳ね返り、この反射球が前記可動片の可動範囲に到達する前で流下方向を規制する反射球流下方向規制部材を備え、
前記反射球流下方向規制部材は、
前記観賞部材のガイド面に形成した段差部により構成され、
前記段差部は、
前記発射流路の先端出口よりも上方であって、遊技領域の頂部と発射流路の先端出口との間に配置され、発射流路側のガイド面から遊技領域の外側に屈曲した段差接続面を有し、遊技領域の頂部側からガイド面に沿って移動する反射球を前記段差接続面に当接して流下方向を規制するようにしたことを特徴とする遊技機である。
【０００７】
請求項２に記載のものは、遊技領域の上部の発射流路側に、複数本の釘を逆ハ字状に並べて植設して谷釘群を形成し、該谷釘群の発射流路側の上端近傍と遊技領域外縁との間を中距離球通過出口とし、該中距離球通過出口よりも遊技領域頂部側に前記段差部を配置したことを特徴とする請求項１に記載の遊技機である。
【０００８】
請求項３に記載のものは、遊技盤の表面に略円形状の遊技領域を形成するとともに、該遊技領域上部に配設され、前記遊技領域側に円弧状のガイド面を形成した観賞部材と、前記遊技領域の下辺左寄りから上方にかけて円弧状に止着される外レールと、該外レールの内側に止着される内レールと、を備え、
前記外レールと前記内レールとの間に、弾発された発射球を前記遊技領域内に案内する発射流路を形成し、
前記内レールの上端部分に、可動片を備えた戻り球防止部材を設け、該戻り球防止部材の可動片が、前記遊技領域内からの遊技球が発射流路内に戻ることを阻止し、前記発射流路からの発射球の通過を許容する遊技機において、
前記発射球が前記遊技領域内に設けられた釘等の流下規制部材で跳ね返り、この反射球が前記可動片の可動範囲に到達する前で流下方向を規制する反射球流下方向規制部材を備え、
前記反射球流下方向規制部材は、
前記観賞部材の内部に取付けられる取付基部と、
前記取付基部から前記遊技領域内に突出する規制部材用可動片と、を備え、
前記遊技領域上部の発射流路側に複数本の釘を逆ハ字状に並べて植設した谷釘群を形成し、該谷釘群の発射流路側の上端近傍と遊技領域外縁との間を中距離球通過出口とし、
前記規制部材用可動片を中距離球通過出口から遊技領域の内側へ向けて斜めに突出させて、遊技領域の頂部側からガイド面に沿って発射流路の出口に向かって移動する反射球を遮り、該反射球の流下方向を規制するようにしたことを特徴とする遊技機である。
【０００９】
【発明の実施の形態】
以下、本発明の実施の形態を図面に基づいて説明する。
図１は代表的な遊技機であるパチンコ遊技機（以下、パチンコ機１という）のガラス枠２と開閉パネル３を開いた状態の斜視図、図２は遊技盤４の正面図である。
【００１０】
パチンコ機１は、機枠５に軸着した額縁状の前面枠６に、該前面枠６の開口部を前方から塞ぐようにしてガラス枠２を開閉可能に取り付けるとともに、上皿７を設けた開閉パネル３を開閉可能に取り付け、前面枠６の裏面に取り付けた遊技盤収納フレーム９内に遊技盤４を着脱可能に装着し、前面枠６の前面下部に設けた発射操作部１０を操作すると前面枠６の裏面下部に設けた球発射装置１１が作動し、上皿７から導入した遊技球を発射杵１２の回動により発射レール１３の傾斜下端から弾発し、この発射球が発射レール１３から遊技盤４表面の発射流路１４内を通って遊技盤４表面の遊技領域１５に飛入するように構成されている。そして、遊技領域１５内に飛入した遊技球は、釘、風車等の流下規制部材により流下方向を規制されながら流下する。
【００１１】
遊技盤４は、図２に示すように、四角形の板材の表面に、円弧状の金属板製の内レール２０と外レール２１、及び内側側面に円弧状のガイド面２２を形成した観賞部材２３を区画部材として配設することによりほぼ円形の遊技領域１５を形成するとともに、下辺左寄りから上方に円弧状に止着した外レール２１と、この外レール２１の内側に遊技球の直径以上の間隔を配して止着した内レール２０との間に発射流路１４を形成し、発射流路１４の先端出口部分である上記内レール２０の上端に戻り球防止部材２４を設け、また、遊技領域１５内に無数の釘を植設するとともに変動表示装置２５や入賞具などの役物を設け、遊技領域１５の最下部にアウト口２６を開設してある。なお、この遊技盤４を遊技盤収納フレーム９内に装着すると、外レール２１の下端が、発射レール１３の傾斜上端の延長線よりも僅か下方に位置して、発射球が発射レール１３の傾斜上端からファール球回収口２７を飛び越して外レール２１上に円滑に移り得る、すなわち発射球が発射流路１４内に円滑に入るように上記各部品を配置してある。
【００１２】
戻り球防止部材２４は、図３に示すように、内レール２０の先端に取り付ける取付基部２４ａ、この取付基部２４ａに基端を固定した断面緩やかな「く」字状のバネ鋼板製の舌片状可動片２４ｂとからなり、内レール２０の先端に取り付けると、上記可動片２４ｂが発射流路１４の出口を基端から先端に向かって斜めに閉じるように構成されている。したがって、発射流路１４内を発射球が勢い良く上昇してくると、可動片２４ｂが発射球によって図２中右側に押し退けられて発射球を遊技領域１５内に飛入することを許容する。一方、一旦遊技領域１５内に入った遊技球が反射して発射流路１４の出口に向かって飛んでくると、この反射球が可動片２４ｂに当たって該可動片２４ｂを図２中左側に押圧し、可動片２４ｂの先端部分が外レール２１内面に当接して出口を閉塞するので、当該反射球が発射流路１４内に入り込むことを阻止することができる。すなわち、戻り球防止部材２４は、発射流路１４の出口において、発射流路１４内を上昇してきた発射球の通過を許容するが、逆に出口に入り込もうとする反射球の通過を阻止する一方向弁として機能する。
【００１３】
遊技領域１５内に飛入した遊技球の流下方向を規制する流下規制部材として植設する釘の配置は、本実施形態では図２に示すように、遊技領域１５のほぼ中央に別遊技を行なう変動表示装置２５を、該変動表示装置２５の下方に別遊技の始動口として機能する普通電動入賞口３０を、この普通電動入賞口３０の左右に普通図柄表示装置３１が始動するための条件を成立させる通過チャッカー３２を、普通電動入賞口３０の下方に大入賞口３３を配置し、また、変動表示装置２５の左右に一般入賞口３４を配置してあるので、これらに入賞する楽しみを与えるために、変動表示装置２５の上方、すなわち遊技領域１５の上部中央に、所謂「天釘」と呼ばれる釘（天釘群３５）を遊技球の直径とほぼ同様の間隔を空けて５本略水平方向に植設し、これら「天釘」の左右両側に所謂「山釘」として遊技球が通過しない間隔で複数本の釘（山釘群３６）を変動表示装置２５の左右端部に向けて斜め下方に延びる列状に植設し、発射流路１４の出口側に位置する「天釘」と最上の「山釘」との間を遊技球が通過し得る間隔を空けて所謂「ぶっこみ」とし、各「山釘」の外側に、複数本の釘を逆ハ字状に植設して所謂「谷釘」とし、各谷釘群３７の最上の釘と外レール２１（すなわち、遊技領域１５の外縁）との間は遊技球が余裕を持って通過し得る間隔を十分にとり、発射流路１４側に位置する最上の谷釘と外レール２１との間を中距離球通過出口３９とし、この中距離球通過出口３９よりも少し天釘寄りに補助釘４０を谷釘群３７よりの少し高い位置に植設している。
【００１４】
この様な釘の配置を採ったパチンコ機１において、通常は前記「ぶっこみ」を狙って発射球の飛距離を調整しながら遊技を行なうが、実際には直接「ぶっこみ」を通過する遊技球は少なくてその近傍の天釘群３５や山釘群３６に当たって跳ね返る。この跳ね返った遊技球（反射球）は様々な方向に飛ぶが、反射球の内で稀に発射流路１４の出口に向かって直接跳ね返ったり、あるいは観賞部材２３に形成したガイド面２２に沿って出口に向かうものもある。
【００１５】
発射流路１４の出口に向かって跳ね返った反射球が発生しても、本実施形態では、前記した様に、戻り球防止部材２４が備えられているので、この反射球が発射流路１４を逆行してファール球になることはないが、この反射球が戻り球防止部材２４の可動片２４ｂを押圧して出口を閉じている際に、発射流路１４内を上昇してきた発射球が可動片２４ｂに当接すると、この発射球が可動片２４ｂを押し開いて出口を通過することができずに発射流路１４を逆行してファール球となる場合がある。そこで、本実施形態では、図２および図４に示すように、遊技領域１５の上部を区画している区画部材としての観賞部材２３のガイド面２２に反射球流下方向規制部材を設けてある。
【００１６】
この反射球流下方向規制部材は、観賞部材２３に形成された円弧状ガイド面２２に段差部４１を形成することにより構成されている。すなわち、従来の観賞部材２３の円弧状ガイド面２２は、外レール２１に接続する部分からガイド面２２の右側に設ける球返しゴム４２まで滑らかな一連の円弧面として構成されているが、本実施形態では途中に段差部４１を形成することにより反射球流下方向規制部材としている。
【００１７】
具体的に説明すると、前記段差部４１は、発射流路１４の先端出口よりも上方であって、遊技領域１５の頂部と発射流路１４の先端出口との間、さらに詳しくは出口側の最上谷釘（中距離球通過出口３９）の真上あるいはその少し右側のガイド面２２に配置され、発射流路１４側のガイド面２２から遊技領域１５の外側に向けて段差接続面４３を屈曲形成（図４）し、この段差接続面４３の上端に、遊技領域１５の頂部側のガイド面２２の端部を位置させて構成する。
【００１８】
前記した段差部４１を反射球流下方向規制部材として設けると、所謂「右打ち」あるいは「まくり打ち」しても、発射流路１４の出口から遊技領域１５内に飛入した遊技球は左側のガイド面２２ａに案内されながら移動し、段差部４１から右側のガイド面２２ｂに支障なく移動して遊技領域１５の上部右側あるいは球返しゴム４２に到達し、従来のパチンコ機１と同様に、何等の支障もなく遊技を行なうことができる。また、「ぶっこみ」を狙ったり左側の谷釘群３７近傍を狙う中距離発射しても、発射流路１４の出口から遊技領域１５内に飛入した遊技球は左側のガイド面２２ａに案内されながら移動し、段差部４１の手前でガイド面２２ａから離れてしまうので、段差部４１が支障となることはない。
【００１９】
一方、勢い良く球返しゴム４２に当たって跳ね返ったり、天釘群３５や谷釘群３７等に当たって跳ね返った反射球が遊技領域１５の頂部側からガイド面２２ｂに沿って発射流路１４の出口に向かって移動した場合、この遊技球を上記段差接続面４３に当接して流下方向を、谷釘群３７の間の領域内に流下するように規制することができる。したがって、戻り球防止部材２４の可動片２４ｂの可動領域に到達することを防止できる。
【００２０】
この様に、観賞部材２３のガイド面２２を伝わって可動片２４ｂの可動領域に到達するであろう反射球の流下方向を反射球流下方向規制部材により規制すると、発射流路１４の出口で発射球と反射球とが可動片２４ｂを挟み付けて発射球がファール球となる不都合を防止することができる。また、反射球流下方向規制部材により流下方向が規制された反射球は、段差部４１が中距離球通過出口３９よりも遊技領域１５の頂部側に配置されているので、谷釘群３７等に案内されて、十分に入賞可能性のある遊技球となって流下し、遊技者を失望させることがない。
【００２１】
なお、反射球流下方向規制部材は前記した段差部４１によるものに限らない。例えば、図５に示す第２の実施形態は、前記戻り球防止部材２４と同じ構成の一方向弁４４を反射球流下方向規制部材として観賞部材２３に設けたものである。この場合、一方向弁４４の取付基部４４ａを観賞部材２３の内部に設け、可動片４４ｂ（本発明の規制部材用可動片に相当）をガイド面２２から遊技領域１５内に突出させる。また、可動片４４ｂを突出させる位置は、前記第１実施形態と同様に、中距離球通過出口３９あるいはこの出口３９から遊技領域１５の内側に向けて斜めに配置する。
【００２２】
この様にして一方向弁４４を設けると、発射流路１４の出口から遊技領域１５内に勢い良く飛び出した発射球はガイド面２２に案内されながら移動して途中で可動片４４ｂをガイド面２２側に押し退けて進むことができるので、従来のパチンコ機１と同様に遊技を行なうことができ、「右打ち」や中距離発射しても何等支障なく遊技を行なうことができる。
【００２３】
一方、勢い良く球返しゴム４２に当たって跳ね返ったり、天釘群３５や谷釘３７群等に当たって跳ね返った反射球が遊技領域１５の頂部側からガイド面２２に沿って発射流路１４の出口に向かって移動した場合、この反射球が一方向弁４４まで戻った時点で可動片４４ｂによって発射流路１４側への移動を遮られて谷釘群３７の間の領域内に流下するように規制することができる。したがって、戻り球防止部材２４の可動片２４ｂの可動領域に到達することを防止でき、発射流路１４の出口で発射球と反射球とが可動片２４ｂを挟み付けて発射球がファール球となる不都合を解消することができる。
【００２４】
また、反射球流下方向規制部材としての一方向弁４４は、図６に示すように、可動片４４ｂを左側の最上谷釘からガイド面２２に斜めに向けて中距離球出口を塞ぐ状態で遊技領域１５内に取り付けてもよい。この様にしても、発射流路１４の出口から遊技領域１５内に勢い良く飛び出した発射球はガイド面２２に案内されながら移動して途中で可動片４４ｂをガイド面２２側に押し退けて進むことができるので、従来のパチンコ機１と同様に遊技を行なうことができ、「右打ち」や中距離発射しても何等支障なく遊技を行なうことができる。
【００２５】
一方、勢い良く球返しゴム４２に当たって跳ね返ったり、天釘群３５や谷釘群３７等に当たって跳ね返った反射球が遊技領域１５の頂部側からガイド面２２に沿って発射流路１４の出口に向かって移動した場合、この反射球が一方向弁４４まで戻った時点で可動片４４ｂによって発射流路１４側への移動を遮られて谷釘群３７の間の領域内に流下するように規制することができる。したがって、戻り球防止部材２４の可動片２４ｂの可動領域に到達することを防止できる。
【００２６】
なお、本発明は、パチンコ機１に限定されるものではなく、例えば、雀球式遊技機、アレンジボール式遊技機などでもよい。
【００２７】
さらに、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【００２８】
【発明の効果】
以上説明したように本発明によれば、以下の効果を奏する。
請求項１の発明によれば、発射球が遊技領域内で跳ね返り、この反射球が戻り球防止部材の可動片の可動範囲に到達する前で流下方向を規制する反射球流下方向規制部材を設けたので、可動片が発射球と反射球とに挟まれて発射球が遊技領域内に入らずにファール球となる事態を防止することができ、戻り球防止を一層行ない易くすることができる。したがって、不快なファール球の発生を抑制することができる。また、遊技者が望むタイミングで遊技球を発射して遊技領域内に飛入させることができ、例えば電動役物が開放しているタイミングに合わせて発射する等の技術介入を行ない易くなる。
【００２９】
また、反射球流下方向規制部材は、遊技領域上部に設けた観賞部材の遊技領域側の円弧状ガイド面に形成した段差部により構成するので、勢い良く反射してガイド面に沿って戻る反射球の流下方向を規制することができる。加えて、構成が簡単であり、美観を損ねることもない。
【００３０】
さらに、段差部は、発射流路の先端出口よりも上方であって、遊技領域の頂部と発射流路の先端出口との間に配置し、発射流路側のガイド面から遊技領域の外側に屈曲した段差接続面を有し、遊技領域の頂部側からガイド面に沿って移動する遊技球を上記段差接続面に当接して流下方向を規制する。したがって、この規制された遊技球はその後も入賞の可能性を十分に有する。このため、遊技者に失望感を与え難く、遊技の興趣を減殺することがない。
【００３１】
請求項２の発明によれば、遊技領域の上部の発射流路側に、複数本の障害釘を逆ハ字状に並べて植設して谷釘群を形成し、該谷釘群の発射流路側の上端近傍と遊技領域外縁との間を中距離球通過出口とし、この中距離球通過出口よりも遊技領域頂部側に反射球流下方向規制部材を配置したので、遊技領域内に新たに飛入してきた遊技球と反射球とが発射流路の出口近傍で衝突する事態が発生することを抑制することができる。したがって、遊技者が不快を感じる球同士の衝突が低減し、遊技の興趣を減殺することを防止することができる。また、反射球流下方向規制部材により規制された遊技球は、中距離発射された遊技球と同様に流下するので、その後も十分に入賞の可能性が残され、遊技者を失望させることがない。
【００３２】
請求項３に記載の発明によれば、遊技領域上部の発射流路側に複数本の釘を逆ハ字状に並べて植設した谷釘群を形成し、該谷釘群の発射流路側の上端近傍と遊技領域外縁との間を中距離球通過出口とし、規制部材用可動片を中距離球通過出口から遊技領域の内側へ向けて斜めに突出させて、遊技領域の頂部側からガイド面に沿って発射流路の出口に向かって移動する反射球を遮り、該反射球の流下方向を規制するようにしたので、発射流路の出口から遊技領域内に勢い良く飛び出した発射球はガイド面に案内されながら移動して途中で規制部材用可動片をガイド面側に押し退けて進むことができる。したがって、従来のパチンコ機と同様に遊技を行なうことができ、「右打ち」や中距離発射しても何等支障なく遊技を行なうことができる。
【００３３】
一方、勢い良く流下規制部材に当たって跳ね返った反射球が遊技領域の頂部側からガイド面に沿って発射流路の出口に向かって移動した場合、この反射球が反射球流下方向規制部材まで戻った時点で規制部材用可動片によって発射流路側への移動を遮られて谷釘群３７の間の領域内に流下するように規制することができる。したがって、戻り球防止部材の可動片の可動領域に到達することを防止でき、発射流路の出口で発射球と反射球とが可動片を挟み付けて発射球がファール球となる不都合を解消することができる。
【図面の簡単な説明】
【図１】
ガラス枠と開閉パネルを開放した状態におけるパチンコ機の斜視図である。
【図２】
遊技盤の正面図である。
【図３】
戻り球防止部材の斜視図である。
【図４】
（ａ）は遊技領域の上部を区画する区画部材として設けた観賞部材の正面図、（ｂ）は（ａ）に示す観賞部材の斜視図である。
【図５】
反射球流下方向規制部材の第２の実施形態を設けた遊技盤の正面図である。
【図６】
反射球流下方向規制部材の第３の実施形態を設けた遊技盤の正面図である。
【符号の説明】
１  パチンコ機
２  ガラス枠
３  開閉パネル
４  遊技盤
５  機枠
６  前面枠
７  上皿
９  遊技盤収納フレーム
１０  発射操作部
１１  球発射装置
１２  発射杵
１３  発射レール
１４  発射流路
１５  遊技領域
２０  内レール
２１  外レール
２２  ガイド面
２３  観賞部材
２４  戻り球防止部材
２４ａ  取付基部
２４ｂ  可動片
２５  変動表示装置
２６  アウト口
２７  ファール球回収口
３０  普通電動入賞口
３１  普通図柄表示装置
３２  通過チャッカー
３３  大入賞口
３４  一般入賞口
３５  天釘群
３６  山釘群
３９  中距離球通過出口
４０  補助釘
４１  段差部
４２  球返しゴム
４３  段差接続面
４４  一方向弁